(57)【要約】      （修正有）【課題】自然エネルギーにより発生した電気を二次電池システムに充電する際に、充電制御を行う充電制御装置の起動を自然エネルギーにより発生した電気を利用して行う充電制御装置を提供する。【解決手段】自然エネルギーにより発生した電力の充電制御を行う充電制御装置２０であって、発電装置１０からの入力電力を二次電池システム３０への充電に適した充電電力に調節するスイッチングレギュレータ２１と、スイッチングレギュレータ２１に対して制御信号を送信するＭＰＵ２２と、充電制御装置２０が動作維持する際の内部負荷の大きさに相当する大きさの基準抵抗２３とを備え、入力電力が基準抵抗２３を介して所定値以上でＭＰＵ２２に供給される場合にＭＰＵ２２が起動され、このＭＰＵ２２の制御により、発電装置１０と二次電池システム３０との間で接続のＯＮ／ＯＦＦを切り替えるコンタクタが投入されて二次電池システム３０への充電が開始される。【選択図】図１
2014121197.tif 000002
【特許請求の範囲】
【請求項１】
自然エネルギーにより発生した電力を二次電池システムに充電する際の充電制御を行う充電制御装置であって、
自然エネルギーを電気に変換する発電装置から入力された直流の入力電力を二次電池システムへの充電に適した充電電力に調節するレギュレータと、
前記入力電圧及び前記充電電力に基づいて、前記レギュレータが最適な充電動作を行うように当該レギュレータに対して制御信号を送信する制御手段と、
前記レギュレータ及び前記制御手段に接続され、前記充電制御装置が動作維持する際の内部負荷の大きさに相当する大きさの起動判定用負荷とを備え、
前記入力電力が、前記レギュレータ及び前記起動判定用負荷を介して所定の値以上の大きさで前記制御手段に供給される場合に、当該供給された電力により前記制御手段が起動され、起動された当該制御手段の制御により、前記発電装置と前記二次電池との間で接続のＯＮ／ＯＦＦを切り替える接点が投入されて前記二次電池システムへの充電が開始されることを特徴とする充電制御装置。
【請求項２】
請求項１に記載の充電制御装置において、
前記起動判定用負荷が、少なくとも、前記制御手段が起動する際の負荷の大きさ及び前記二次電池システムへの充電を維持する際の負荷の大きさ以上であることを特徴とする充電制御装置。
【請求項３】
請求項１又は２に記載の充電制御装置において、
前記制御手段が、
充電される電力の最大電力点追従を行うように前記レギュレータを制御し、
前記接点が投入されて前記二次電池システムへの充電がなされている場合に、前記レギュレータの制御を所定間隔で所定時間停止し、前記レギュレータの制御が停止されている間に前記発電装置の入力電圧を計測し、当該計測した値に基づいて充電電流を制御することを特徴とする充電制御装置。
【請求項４】
請求項１ないし３のいずれかに記載の充電制御装置において、
複数の前記発電装置が接続されており、
各発電装置の入力電圧に応じて当該複数の発電装置の接続を直列又は並列に切り替える接続切替手段を備えることを特徴とする充電制御装置。
【請求項５】
自然エネルギーにより発生した電力を二次電池システムに充電する際の充電制御を行う充電制御装置であって、
自然エネルギーを電気に変換する発電装置から入力された入力電力を二次電池システムへの充電に適した充電電力に調節するレギュレータと、
前記入力電圧及び前記充電電力に基づいて、前記レギュレータが最適な充電動作を行うように当該レギュレータに対して制御信号を送信する制御手段とを備え、
前記制御手段が、
充電される電力の最大電力点追従を行うように前記レギュレータを制御し、
前記接点が投入されて前記二次電池システムへの充電がなされている場合に、前記レギュレータの制御を所定間隔で所定時間停止し、前記レギュレータの制御が停止されている間に前記発電装置の入力電圧を計測し、当該計測した値に基づいて充電電流を制御することを特徴とする充電制御装置。
【発明の詳細な説明】
【技術分野】
【０００１】
本発明は、自然エネルギーにより発生した電力を、二次電池を用いた蓄電池システム（以下、二次電池システムという）に充電する充電制御装置に関する。
【背景技術】
【０００２】
近年、二次電池システムの開発が進み実用化され始めている。特に、災害等により系統電力からの電気の供給が停止した場合や、山間部・トンネル工事など、電気が通っていない場所、あるいは発展途上国のようなインフラが充分に整備されていない場所において、二次電池システムが重宝される。二次電池システムは、使用に際して当然前もって充電されている必要があるが、系統電力からの電気の供給が停止している場合やエンジン発電機の燃料切れなど、二次電池システムに充電することが困難になってしまうという問題がある。そこで、系統電力からではなく、太陽光や風力等の自然エネルギーを直接二次電池システムに効率よく充電する技術の開発が強く望まれている。
【０００３】
特許文献１には、商用系統の給電ラインが停電した場合に、蓄電池及び太陽電池により重要負荷に継続して電力供給を行う技術が開示されている。特許文献１に示す技術は、一般負荷が接続される商用系統の給電ラインに発電機と電力スイッチを介して重要負荷とを接続し、電力スイッチと重要負荷との接続ラインに交直変換器を介した蓄電池を接続するとともに、交直のパワーコンディショナーを介して太陽光電池を接続して、電力スイッチの入力側の電圧検出を行って電圧が所定値以下か否かを判定することにより、電圧が所定値に達していることを条件に電力スイッチを投入して蓄電池の制御モードを電流制御に切り換え、電圧が所定値以下に低下したことを条件に電力スイッチを開放して蓄電池の制御モードを電圧制御に切り換えるものである。
【０００４】
また、複数の太陽光発電モジュールで発電した電気を二次電池に充電する技術として、例えば特許文献２に示す技術が開示されている。特許文献２に示す技術は、複数の太陽光発電モジュールと、太陽光発電モジュールを直列または並列接続する直並列切替回路と、直列接続された太陽光発電モジュールの出力電圧が基準電圧よりも大きいか否かを判定し、その判定結果を直並列切替回路へ供給する判定回路とを有し、直並列切替回路は、判定結果に基づき、出力電圧が基準電圧よりも小さいと判定されたとき、太陽光発電モジュールを直列接続し、より小さな発電電圧でも二次電圧への充電を可能にするものである。
【先行技術文献】
【特許文献】
【０００５】
【特許文献１】特開２０１１−１０４１２号公報
【特許文献２】特開２００９−１５３３０６号公報
【発明の概要】
【発明が解決しようとする課題】
【０００６】
特許文献１に示す技術は、商用系統からの給電が停止した場合に、バックアップ電源として配設されている発電機で重要負荷に電気を供給し、併せて、太陽光電池が発電したエネルギーを交直のパワーコンディショナーを介して、交直変換器を介した蓄電池や負荷への電気の供給が可能な構成となっている。しかしながら、本構成で蓄電池を充電するには、パワーコンディショナーの交直変換ロスと蓄電池の交直変換器の変換ロスが大きく、効率的な充電を行うことができない。また、交流変換に係る回路が大きく、装置が大型になってしまうという課題を有する。
【０００７】
また、特許文献２に示す技術は、出力電圧に応じて太陽光発電モジュールの接続を直列又は並列に切り替えることで、二次電池への充電を効率よく行うものであるが、特許文献２に示される回路に二次電池を接続した場合、電圧比較による回路構成は出来るものの、太陽光発電モジュールの接続端子電圧が二次電池の端子電圧に引っ張られることから、変化する太陽光発電モジュールの日射量に応じた適切な電流制御が実現できず、効率的な充電を行うことができないという課題を有する。
【０００８】
本発明は、自然エネルギーにより発生した電気を低ロスかつ高効率で二次電池システムに充電する場合に、充電制御を行う充電制御装置の起動および運転制御を自然エネルギーにより発生した電気を利用し、最適な電流制御を行うことができるコンパクトな充電制御装置を提供する。
【課題を解決するための手段】
【０００９】
本発明に係る充電制御装置は、自然エネルギーにより発生した電力を二次電池システムに充電する際の充電制御を行う充電制御装置であって、自然エネルギーを電気に変換する太陽光発電や風力発電などの発電装置から入力された直流の入力電力を前記二次電池システムへの充電に適した充電電力に調整するレギュレータと、前記入力電圧及び前記充電電力に基づいて、前記レギュレータが最適な充電動作を行うように当該レギュレータに対して制御信号を送信する制御手段と、前記レギュレータ及び前記制御手段に接続され、前記充電制御装置が動作維持する際の内部負荷の大きさに相当する大きさの起動判定用負荷とを備え、前記入力電力が、前記レギュレータ及び前記起動判定用負荷を介して所定の値以上の大きさで前記制御手段に供給される場合に、当該供給された電力により前記制御手段が起動され、起動された当該制御手段の制御により、前記発電装置と前記二次電池との間で接続のＯＮ／ＯＦＦを切り替える接点が投入されて前記二次電池システムへの充電が開始されるものである。
【００１０】
このように、本発明に係る充電制御装置においては、発電装置からの直流の入力電力がレギュレータにより調整され、負荷を介して所定の値以上の大きさで制御手段に供給される場合に、その供給された入力電力により制御手段が自立して起動され、その後、制御手段の制御により接点が投入されて二次電池システムへの充電が開始されるため、発電装置で発電した電力を利用して制御手段が自立的に起動して充電を開始することができるという効果を奏する。
【００１１】
また、二次電池システムへの充電に必要な十分な電力が得られている場合にのみ充電が開始されるため、自然環境の変化（例えば、風速、日陰の状態、水流量、発熱量等の変化）等により発生する前記二次電池との間で接続のＯＮ／ＯＦＦを切り替える接点のチャタリングを確実に防止し、安定した充電および充電停止をすることができるという効果を奏する。
【００１２】
本発明に係る充電制御装置は、前記起動判定用負荷を、少なくとも、前記制御手段が起動する際の負荷の大きさ及び前記二次電池システムへの充電を維持する際の負荷の大きさ以上とするものである。
【００１３】
このように、本発明に係る充電制御装置においては、起動判定用負荷が、少なくとも、制御手段が起動する際の負荷の大きさ及び二次電池システムへの充電を維持する際の負荷の大きさ以上であるため、制御手段の起動及び動作、並びに、二次電池システムへの充電を確実に維持することができるという効果を奏する。
【００１４】
本発明に係る充電制御装置は、前記制御手段が、充電される電力の最大電力点追従を行うように前記レギュレータを制御し、前記接点が投入されて前記二次電池システムへの充電がなされている場合に、前記レギュレータの制御を所定間隔で所定時間停止し、前記レギュレータの制御が停止されている間に前記発電装置の入力電圧を計測し、当該計測した値に基づいて充電電流を制御するものである。
【００１５】
このように、本発明に係る充電制御装置においては、充電される電力の最大電力点追従（ＭＰＰＴ制御：Maximum  Power  Point  Tracking）を行うようにレギュレータを制御し、接点が投入されて二次電池システムへの充電がなされている場合に、ＭＰＰＴ制御が所定間隔で停止する特徴を有し、ＭＰＰＴ制御が停止されている間に発電装置の開放端電圧を確実に取得して、最適な充電電流を演算・制御するため、効率的な発電ができるという効果を奏する。
【００１６】
本発明に係る充電制御装置は、複数の前記発電装置が接続されており、各発電装置からの入力電圧に応じて当該複数の発電装置の接続を直列又は並列に切り替える接続切替手段を備えるものである。
【００１７】
このように、本発明に係る充電制御装置においては、複数の発電装置が直流で接続されており、各発電装置の入力電圧に応じて当該複数の発電装置の接続を直列又は並列に切り替えるため、充電を行うにあたって開放端電圧が有効な範囲で無い場合は直列に接続し、開放端電圧が有効な範囲の場合は並列に接続することで、効率よく充電を行うことができるという効果を奏する。
【００１８】
本発明に係る充電制御装置は、自然エネルギーにより発生した電力を二次電池システムに充電する際の充電制御を行う充電制御装置であって、自然エネルギーを電気に変換する発電装置から入力された入力電力を二次電池システムへの充電に適した充電電力に調節するレギュレータと、前記入力電圧及び前記充電電力に基づいて、前記レギュレータが最適な充電動作を行うように当該レギュレータに対して制御信号を送信する制御手段とを備え、前記制御手段が、充電される電力の最大電力点追従を行うように前記レギュレータを制御し、前記接点が投入されて前記二次電池システムへの充電がなされている場合に、前記レギュレータの制御を所定間隔で所定時間停止し、前記レギュレータの制御が停止されている間に前記発電装置の入力電圧を計測し、当該計測した値に基づいて充電電流を制御するものである。
【００１９】
このように、本発明に係る充電制御装置においては、ＭＰＰＴ制御を行うようにレギュレータを制御し、接点が投入されて二次電池システムへの充電がなされている場合に、ＭＰＰＴ制御を所定間隔で所定時間停止し、ＭＰＰＴ制御が停止されている間に発電装置の入力電圧を計測して充電電流を演算制御するため、発電装置の開放端電圧を確実に取得し、ＭＰＰＴ制御を正確に行うことができるという効果を奏する。
【図面の簡単な説明】
【００２０】
【図１】第１の実施形態に係る充電制御装置を用いた充電制御システムの機能ブロック図である。
【図２】第１の実施形態に係る充電制御システムにおける発電装置の開放電圧を検出する際の処理イメージ図である。
【図３】第１の実施形態に係る充電制御装置の動作を示すフローチャートである。
【図４】図３におけるＳ５〜Ｓ７の詳細な処理を示すフローチャートである。
【図５】充電が継続されているときの充電電圧の出力処理を示すフローチャートである。
【発明を実施するための最良の形態】
【００２１】
以下、本発明の実施の形態を説明する。本発明は多くの異なる形態で実施可能である。また、本実施形態の全体を通して同じ要素には同じ符号を付けている。
【００２２】
（本発明の第１の実施形態）
本実施形態に係る充電制御装置について図１ないし図５を用いて説明する。本実施形態に係る充電制御装置は、自然エネルギーにより発生した電力を二次電池システムに充電する際の充電制御を行うものである。図１は、本実施形態に係る充電制御装置を用いた充電制御システムの機能ブロック図である。図１において、充電制御システム１は、太陽光のエネルギー等の自然エネルギーを電気に変換して出力する発電装置１０と、発電装置１０から入力された電力を充電制御する充電制御装置２０と、充電制御された電力を蓄電する二次電池システム３０とを備える。
【００２３】
充電制御装置２０は、発電装置１０から入力された入力電力を二次電池システム３０への充電に適した充電電力に調節するスイッチングレギュレータ２１と、充電制御装置２０における処理全般を監視・制御すると共に、特に、発電装置１０からの入力電圧及び二次電池システム３０への充電電力に基づいて、スイッチングレギュレータ２１が最適な充電動作を行うように当該スイッチングレギュレータ２１に対して制御信号を送信するＭＰＵ２２と、スイッチングレギュレータ２１及びＭＰＵ２２に接続され、充電制御装置２０が動作維持する際の内部負荷の大きさに相当する大きさの基準抵抗２３と、二次電池システム３０への充電電流を検知する電流検知ＩＣ２４と、複数の発電装置１０が接続されている場合に、発電量に応じて発電装置１０の接続を並列又は直列に切り替える接続切替回路２５とを備える。
【００２４】
スイッチングレギュレータ２１は、更に制御系ＳＲ２１１と充電系ＳＲ２１２とを有している。制御系ＳＲ２１１は、主に基準抵抗２３に接続されＭＰＵ２２への供給電力を調整する機能を有し、充電系ＳＲ２１２は、主に二次電池システム３０への充電電力を調整する機能を有する。
【００２５】
本実施形態に係る充電制御装置２０は、発電装置１０で発電した電力を利用してＭＰＵ２２を起動させることで、自然エネルギーのみで二次電池システム３０への充電を実現するものである。充電制御装置２０が停止している状態で、発電装置１０と充電制御装置２０とを接続すると、発電装置１０で発電した電力は充電制御装置２０に入力される。入力された電力は制御系ＳＲ２１１を介して基準抵抗２３に供給される。基準抵抗２３は、充電制御装置２０が動作維持する際の内部負荷の大きさに相当する大きさの負荷であり、基準抵抗を超える電力が発電している場合にのみＭＰＵ２２に十分な電力が供給される。すなわち、充電制御装置２０が動作維持するのに十分な電力が発電されている場合にＭＰＵ２２が起動することになる。
【００２６】
充電制御装置２０が動作維持する際の主な内部負荷としては、例えば、スイッチングレギュレータ２１の動作、ＭＰＵ２２の動作、充電時に充電制御装置２０と二次電池システム３０とを接続するためのコンタクタの保持動作等が挙げられ、それらの動作を維持するために必要な電力量に基づいて、基準抵抗２３の負荷の大きさが設定される。
【００２７】
発電装置１０で十分な量の発電がなされ、ＭＰＵ２２が起動すると、コンタクタ３１が投入されて二次電池システム３０への充電が開始される。このとき、充電制御装置２０は、ＭＰＰＴ（Maximum  Power  Point  Tracking：最大電力点追従）制御を行うことで、発電装置１０から最大の電力を取り出している。また、充電系ＳＲ２１２はＰＷＭ（Pulse  Width  Modulation）制御によりパルス幅のデューティー比を調整し、充電電圧を一定に保って効率よく充電を行う。なお、ＭＰＰＴ制御及びＰＷＭ制御は一般的に知られた技術であるため、詳細な説明は省略する。
【００２８】
二次電池システム３０への充電が開始されると、ＭＰＵ２２により充電動作が監視・制御される。具体的には、電流検知ＩＣ２４で検知された電流、充電電圧、及び、発電装置１０の開放電圧を監視し、それらの値に応じた制御が行われる。充電電流は、一定値を下回った場合に充電停止の制御を行う際に利用される。充電電圧は、満充電に達した場合に過充電防止のために充電停止の制御を行う際に利用される。また、発電装置１０の開放電圧は、ＭＰＰＴ制御を行う際の充電電流の制御（充電電圧を一定に保つため）に利用される。
【００２９】
発電装置１０の充電中における開放電圧の値は、発電装置１０と二次電池システム３０とが充電系ＳＲ２１２を介して接続されている場合には、充電電圧の影響により正確な値を検出することができない。そこで、本実施形態においては、発電装置１０の開放電圧を検出するために、充電系ＳＲ２１２を停止して発電装置１０と二次電池システム３０との間の接続を所定間隔で所定時間切断し、その切断されている間に発電装置１０の開放電圧を検出する。発電装置１０の開放電圧が検出されると、充電系ＳＲ２１２を起動して発電装置１０と二次電池システム３０とを接続し、検出された開放電圧の値に基づいた適正な値の充電電流で充電処理が再開される。
【００３０】
図２は、発電装置１０の開放電圧を検出する際の処理イメージ図である。ここでは、発電装置１０の開放電圧を検出する間隔を２秒に設定し、検出時間を８ミリ秒に設定している。これは、雲の動きや夕暮れの太陽光の変化に対応するのに最も適切と思われる値を実験を通して発明者らが導出した値である。図２に示すように、２秒周期で８ミリ秒間充電を停止（充電系ＳＲ２１２を停止）し、その間に発電装置１０の開放電圧を検出する。８ミリ秒が経過すると、次の周期までの間に、検出した開放電圧に応じて充電電流が制御されて、効率よく充電を行うことが可能となる。
【００３１】
接続切替回路２５は、発電装置１０が充電制御装置２０に複数接続されている場合に、各発電装置１０の発電量に応じて直列又は並列の接続状態を切り替える処理を行う。つまり、各発電装置１０の発電量が小さい場合には、各発電装置１０の一部又は全部を直列に接続することで出力電圧を大きくし、各発電装置１０の発電量が大きい場合には、各発電装置１０の一部又は全部を並列に接続することで、二次電池システム３０への充電を効率よく行う。このとき、少なくとも基準抵抗２３を上回る電力となるように直列／並列の組み合わせが決定される。また、図２の場合のように開放電圧を検出し、その検出した開放電圧の値に応じて各発電装置１０の接続状態を切り替えることもできる。そうすることで、より細かい充電制御を行うことができ、充電効率を上げることができる。
【００３２】
次に、充電制御システム１の動作について説明する。図３は、本実施形態に係る充電制御装置の動作を示すフローチャートである。初期状態において充電制御装置２０は停止しており、外部から一切電力が供給されていないものとする。まず、発電装置１０で発電した電力を充電制御装置２０を介して二次電池システム３０に充電するために、発電装置１０を充電制御装置２０に接続する。発電装置１０と充電制御装置２０が接続されると、発電装置１０で発電した電力が充電制御装置２０に入力される。入力された電力は、天候や環境に応じて一定の値ではなく安定していない。すなわち、この状態で発電した電力を利用してＭＰＵ２２を起動しようとしても、十分な電力が供給されていない可能性があると共に、仮に十分な電力が供給されているとしても、値が安定してないためチャタリングを起こしてしまう可能性もある。
【００３３】
そこで、入力された電力を制御系ＳＲ１２１を介して基準抵抗２３に供給し、その電圧値が基準値を超えているかどうかが判定され（Ｓ１）、基準値を超えていない場合は、ＭＰＵ２２が起動不可能であったり、充電制御システム１の動作を維持することができないと判断され、処理を停止して充電制御システム１が起動されることはない。基準値を超えている場合は、ＭＰＵ２２が起動可能であり、且つ、充電制御システム１の動作を維持することができと判断され、発電装置１０から入力された電力を利用してＭＰＵ２２が起動される（Ｓ２）。
【００３４】
ＭＰＵ２２が起動されると、ＭＰＵ２２の指示信号に応じてコンタクタ３１が投入され、発電装置１０と二次電池システム３０とが、充電系ＳＲ２１２を介して電気的に接続される（Ｓ３）。発電装置１０と二次電池システム３０とが電気的に接続されると、発電装置１０から二次電池システム３０への充電が開始される（Ｓ４）。
【００３５】
充電が開始されると、ＭＰＵ２２により発電装置１０の開放電圧が計測され（Ｓ５）、計測した開放電圧の値に応じてスイッチングレギュレータの出力が調整される（Ｓ６）。充電中においては、充電電流・充電電圧を監視し、規定の範囲内であるかどうかを判定する（Ｓ７）。このＳ７の判定処理は定期的に実行されており、規定の範囲内である場合は充電が継続され、併せて監視も継続される。規定の範囲内でない場合は充電が停止され、Ｓ１に戻って発電装置１０から適正な発電があるかどうかの判定が行われる。
【００３６】
このＳ５〜Ｓ７の処理について、さらに詳細に説明する。図４は、図３におけるＳ５〜Ｓ７の詳細な処理を示すフローチャートである。充電が開始され、ＭＰＵ２２による充電制御が行われると、所定の周期（例えば、数秒であり好ましくは２秒程度）に応じて充電系ＳＲ２１２が所定の時間（例えば、数ミリ秒であり好ましくは発電装置１０の開放電圧が計測できる最小の時間で８ミリ秒程度）停止される（Ｓ４１、Ｓ４２）。充電系ＳＲ２１２が停止されている間に、ＭＰＵ２２が発電装置１０の開放電圧を測定する（Ｓ４３）。測定した開放電圧に基づいて、ＭＰＵ２２が、充電の継続が可能かどうかを判断し（Ｓ４４）、充電の継続が不可能であると判断した場合は、充電を一時停止し（Ｓ４５）、Ｓ４１に戻って充電可能になるまで以降の処理を繰り返して実行する。充電の継続が可能であると判断した場合は、充電系ＳＲ２１２を起動し（Ｓ４６）、開放電圧に応じた適切な充電電流に制御して充電動作を１周期間継続する（Ｓ４７）。そして、Ｓ４１に戻って次の周期について以降の処理を繰り返して実行する。
【００３７】
充電が継続されているときの充電電圧の出力処理を図５のフローチャートに示す。図４のＳ４７において充電が継続され、充電電圧が二次電池システム３０に出力されると（Ｓ５１）、二次電池システム３０における二次電池が満充電かどうかが判定される（Ｓ５２）。満充電の場合は充電処理を終了し、満充電ではない場合は充電を継続する。
【００３８】
以上のような処理により、充電制御装置２０の起動から二次電池システム３０の充電完了までが実現される。
【００３９】
このように、本実施形態に係る充電制御装置２０においては、発電装置１０で発電した電力を利用してＭＰＵ２２が自立的に起動し、自然エネルギーのみを利用して充電を開始することができる。また、二次電池システム３０への充電に必要な十分な電力が得られている場合にのみ充電が開始されるため、自然環境の変化（例えば、風速、日陰の状態、水流量、発熱量等の変化）等により発生する接点のチャタリングを確実に防止することができる。
【００４０】
さらに、基準抵抗２３を、少なくともＭＰＵ２２が起動する際の負荷の大きさ及び二次電池システム３０への充電を維持する際の負荷の大きさ以上に設定することで、ＭＰＵ２２の起動及び動作、並びに、二次電池システム３０への充電を確実に維持することができる。さらにまた、ＭＰＰＴ制御を所定間隔で所定時間停止し、ＭＰＰＴ制御が停止されている間に発電装置１０の開放電圧を監視するため、ＭＰＰＴ制御を適正に行うことができる。
【００４１】
さらにまた、複数の発電装置１０が接続されている場合に、当該複数の発電装置１０の接続を直列又は並列に切り替えるため、各発電装置１０の発電状況に応じて、発電量が少ないときは一部又は全部を直列に接続し、発電量が多いときは一部又は全部を並列に接続することで、効率よく充電を行うことができる。
【００４２】
なお、自然エネルギーとしては太陽光の他に風力、水力、地熱等を利用してもよい。また、図２において、開放電圧の測定周期は２秒に限定されるものではなく、例えば可変であってもよい。測定周期を可変にする場合は、例えば昼間の太陽光が安定している時間帯は測定周期を長くし、夕方に掛けて太陽光が不安定になる時間帯は測定周期が次第に短くなるようにしてもよい。同様に、天候や雲の情報（雲による影が頻発するかどうか等の情報）に応じて測定周期の長さを変更するようにしてもよい。
【符号の説明】
【００４３】
１  充電制御システム
１０  発電装置
２０  充電制御装置
２１  スイッチングレギュレータ
２２  ＭＰＵ
２３  基準抵抗
２４  電流検知ＩＣ
２５  接続切替回路
３０  二次電池システム
３１  コンタクタ
【図１】
2014121197.tif 000003
【図２】
2014121197.tif 000004
【図３】
2014121197.tif 000005
【図４】
2014121197.tif 000006
【図５】
2014121197.tif 000007